(57)【要約】      （修正有）【課題】騒音の激しい現場や日中の明るい屋外等の様々な環境でも作業性がすぐれ、かつ、正確に機能すると共に保守性の優れた活線検知ドライバーを提供する。【解決手段】活線検知ドライバー１のドライバー部２の把持部６に形成された内蔵部１１に、ドライバービツト４を検知子とした検電機能部と検電機能部による結果に応じて報知する報知手段と電池を収納する電池ケースからなる検電器部３を着脱自在に装着できるようにする。報知手段としては、振動モータや発光素子を用いる。【選択図】  図１
2005014136.tif 000002
【特許請求の範囲】
【請求項１】
締結対象ねじのねじ頭に先端部が係合するドライバービットが把持部に固定されているドライバー部と、前記ドライバービットを検知子とした検電器部とが一体となった活線検知ドライバーであって、
前記ドライバー部は、所定部分を絶縁体で被覆して固定し、かつ、導電性のキャップによって開閉自在に閉鎖した内部に内蔵部が形成されている把持部とを具備し、かつ、前記検電器部は、前記ドライバービットを検知子とした検電機能部を形成した検電基板とこの検電機能部による結果に応じて報知する報知手段と電池を収納する電池ケースとを具え、前記内蔵部に着脱自在に装着されていることを特徴とする活線検知ドライバー。
【請求項２】
前記報知手段は、前記キャップの内壁に密接した振動モータが用いられていることを特徴とする請求項１記載の活線検知ドライバー。
【請求項３】
前記報知手段は、前記検電器部に設けられた発光素子であり、かつ、この発光素子と対応する前記絶縁体の被覆は透光性であることを特徴とする請求項１記載の活線検知ドライバー。
【請求項４】
前記検電機能部の前記検電基板は、前記電池ケースに固定して設けられていることを特徴とする請求項１記載の活線検知ドライバー。
【請求項５】
前記ドライバービットと前記電池ケースとは弾性体によって電気的に接続されていることを特徴とする請求項１乃至３のいずれかに記載の活線検知ドライバー。
【請求項６】
前記検電器部は、前記ドライバー部の内蔵部に装着された後に前記キャップが前記把持部に羅着されることにより固定されていることを特徴とする請求項１記載の活線検知ドライバー。
【発明の詳細な説明】
【０００１】
【発明の属する技術分野】
本発明は、騒音の激しい現場や日中の明るい屋外等の様々な環境でも作業性がすぐれ、正確に機能すると共に保守性の優れた活線検知ドライバーに関する。
【０００２】
【従来の技術】
一般におこなわれている屋内の電気工事等では低電圧でも、検電を失念した場合や、電気について知職の乏しい人が配線作業等を行った場合、思わぬ事故になることがある。それらは、作業開始前に作業者が停通を確認しても、関係する他の作業等がおこなわれている場合や、不意に第三者などが電源を入れてしまう場合や、作業者自らの確認の失念による場合等々である。
【０００３】
そのため、安全上の事故や品質における事故を予防する目的で、各種制御盤や電気機器やコンセントプラグ等へ配線あるいは離線の作業を行う際、対象とする配線や端子の検電を行い無電圧を確認したうえで、所定の作業を行うことが広く行われている。
【０００４】
すなわち、これらの作業では、検電機能による電気的な安全性の確認と、ねじ締め機能による締結部に対する所定の締め付けトルクが要求される。しかも、それらは、双方の機能が作業性の良くない例えば狭隘な個所でも、作業者にあまり負担のかからないように作業が容易で、かつ、工具としても信頼性と保守性がすぐれていることが要求されている。
【０００５】
検電機能は、通常の検電器の機能であり、検電作業時に被検電路に接続される検知子に入力抵抗を介して検出回路部に接続する。入力抵抗と検出回路部との接続点は、分圧抵抗を介して回路アースに接続する。それらにより、検出回路部は、検知子が被検電路に接続されると、入力抵抗及び分圧抵抗により分圧された電位を測定して、当該被検電路の課電の有無を検出（活線検知）している。
【０００６】
ねじ締め機能は、ドライバー（ねじ回し）機能であり、柄（グリップ）の回転によりねじに対して所定のトルクを付与して締結している。
【０００７】
この検電機能とねじ締め機能を兼備した作業工具として検電用ドライバー（活線検知ドライバー）が知られている。それらは、ネオン管をグリップ（柄）に挿入し、電圧を検出した際にネオン管が点灯して検電ドライバーの使用者に報知するものや、ドライバービットを先端に装着する把手部内に電気部品を搭載した配線基板や電池などを組み込み、配線基板には発光素子（ＬＥＤ）、ブザー、電池確認スイッチなどが搭載されており、ドライバービットが通電部に接触すると、発光素子、ブザーが作動し、検電ドライバー所持者（作業者）へ通電を知らせるように機能するものである（例えば、特許文献１参照）。
【０００８】
また、本出願人は、先に、特願２００２−００５０として、検電用ドライバー所持者（作業者）へ通電を知らせる手段として、触覚により検電用ドライバー使用者に確実に電圧の検出を知らせるために、振動手段を用いた検電用ドライバー（活線検知ドライバー）を出願している。
【０００９】
【特許文献１】
実開平５−７２３７０号公報  （段落番号０００８〜００１３）
【００１０】
【発明が解決しようとする課題】
上述のように、従来の検電用ドライバーは、いずれも基本構造を、通常の検電器とドライバー（ねじ回し）を組合わせて一体構造に形成している。また、電圧を検出した場合は、ネオン管やＬＥＤの発光や、ブザー音で検電用ドライバー使用者に電圧の存在を知らせている。
【００１１】
しかしながら、それらは作業環境によっては必ずしも効果を発揮するものではない。すなわち、ネオン管やＬＥＤの発光や、フザー音で電圧の存在が検電用ドライバーの使用者に報知しているが、それらの報知手段では、著しい騒音環境下や日中の屋外などでは電圧の存在を検電用ドライバーの使用者へ知らしめるに至らない場合が発生する。特に、ネオン管によるネオン光は検電用ドライバーの把手部に設けられており、把手は使用者が握って作業しているので、作業者自身の手で見えなくしてしまうおそれも十分考えられる。そのため、一定ではない作業現場の条件や環境に対応できる検電用ドライバーが要望されている。
【００１２】
また、（特許文献１）に記載された検電用ドライバーは、テストボタン等がグリップ付近に配置されているため、ねじ締めの操作時に誤検出の恐れもあり、かつ、ドライバー（ねじ回し）として使用しやすい形状でもないため作業性が悪く、締め付けトルクが十分に得られない恐れもある。
【００１３】
本発明はこれらの事情にもとづいてなされたもので、様々な環境でも作業性がすぐれ、かつ、正確に機能すると共に保守性の優れた活線検知ドライバーを提供することを目的としている。
【００１４】
【課題を解決するための手段】
本発明では、締結対象ねじのねじ頭に先端部が係合するドライバービットが把持部に固定されているドライバー部と、前記ドライバービットを検知子とした検電器部とが一体となった活線検知ドライバーであって、
前記ドライバー部は、所定部分を絶縁体で被覆して固定し、かつ、導電性のキャップによって開閉自在に閉鎖した内部に内蔵部が形成されている把持部とを具備し、かつ、前記検電器部は、前記ドライバービットを検知子とした検電機能部を形成した検電基板とこの検電機能部による結果に応じて報知する報知手段と電池を収納する電池ケースとを具え、前記内蔵部に着脱自在に装着されていることを特徴とする活線検知ドライバーである。
【００１５】
また本発明では、前記報知手段は、前記キャップの内壁に密接した振動モータが用いられていることを特徴とする活線検知ドライバーである。
【００１６】
また本発明では、前記報知手段は、前記検電器部に設けられた発光素子であり、かつ、この発光素子と対応する前記絶縁体の被覆は透光性であることを特徴とする活線検知ドライバーである。
【００１７】
本発明では、前記検電機能部の前記検電基板は、前記電池ケースに固定して設けられていることを特徴とする活線検知ドライバーである。
【００１８】
本発明では、前記ドライバービットと前記電池ケースとは弾性体によって電気的に接続されていることを特徴とする活線検知ドライバーである。
【００１９】
本発明では、前記検電器部は、前記ドライバー部の内蔵部に装着された後に前記キャップが前記把持部に羅着されることにより固定されていることを特徴とする活線検知ドライバーである。
【００２０】
【発明の実施の形態】
以下、本発明の実施の形態を図面を参照して説明する。
【００２１】
図１は、本発明の一実施の形態を示す活線検知ドライバーの断面図である。この活線検知ドライバー１は電工タイプのドライバー（ねじ回し）部２と、このドライバー部２の内部に装着自在に内挿される検電器部３とで構成されている。
【００２２】
ドライバー部２は、先端部４ａが締結するねじ頭と係合するドライバービット４が、先端部４ａと後端部４ｂを除いて外部絶縁被覆５にインサートモールディングされている。また、外部絶縁被覆５の外面にはドライバーとしての把持部６を形成するラバーグリップ７が形成されている。この把持部６の内部には、ドライバービット４が固着されている反対側に、入口８にめねじ９が切られた凹状の内蔵部１１が形成されている。このめねじ９には、対応するおねじ１２が切られたキャップ１３が螺着される。なお、キャップ１３は導電性樹脂等で形成され導電性を有しており、使用者が活線検知ドライバー１を使用するためにキャップ１３を握った際に、人体を介して接地される。
【００２３】
つまり、把持部６にキャップ１３が螺着された状態で、ドライバー部２が形成される。このドライバー部２は、使用者が締結するためのねじのねじ頭（不図示）にドライバービット４の先端を係合させた状態で、キャップ１３を掌に当てて把持部６を把持し、所定のトルクで回転することにより、ねじ締めをおこなうことができる。なお、ドライバービット４は検電器部３の検知子も兼ねている。
【００２４】
なお、キャップ１３の掌との接触部は、図２に示したように、掌への接触個所に複数個の山状の突起１４を形成して、振動の伝達を良好にすると共に、滑りにくくして握りやすい形状にしてもよい。また、把持部６には、係止部（不図示）を設けて、ストラップ（不図示）を係止するようにすることもできる。ストラップを係止すれば、それにより、作業中の活線検知ドライバー１の不意の落下を防止することもできる。
【００２５】
図３（ａ）に分解斜視図を、図３（ｂ）にその組み立て図を示すように、検電器部３は、電池１６を収納する電池ケースを兼ねる内部ユニット１７と報知手段としての振動モータ１８とを備えている。振動モータ１８は、一例を挙げれば、携帯電話機等のサイレントコール手段として広く用いられているように、例えば、円筒コアレス直流モータの出力軸にタングステン合金製の偏心ウエイトを配し、回転時にこの偏心ウエイトの遠心力の差を利用して振動を発生させるようにしたものであり、ＤＣ１．５Ｖの電圧で作動する。
【００２６】
内部ユニット１７は、単５型の電池１６を収納する電池ケース部１９と、この電池ケース部１９の外側には検電基板２１が設けられている。また、電池ケースの＋極側と−極側にはそれぞれ端子２１ａ、２１ｂ、２１ｃが設けられている。
【００２７】
＋極側端子２１ａ、２１ｂは、検電基板２１とコイルばね２３を介して検知子であるドライバービット４の後端部４ｂに電気的に接続されていると共に、検電基板２１にも電気的に接続されている。一方、−極側端子２１ｃは、キャップ１３と振動モータ１８に電気的に接続されている。また、振動モータ１８は検電基板２１へはケーブル（不図示）によって接続されている。
【００２８】
なお、＋極側端子２１ａ、２１ｂは検電基板２１とコイルばね２３（弾性体）を介して検知子であるドライバービット４の後端部４ｂと電気的に接続されているが、弾性体としてはコイルばね２３に限定されず、板ばねを屈曲させて用いてもよい。
【００２９】
これらの電気的な接続は、図４に示したような構成になる。すなわち、ドライバービット４の検知子が検知した電圧は、コイルばね２３の導線路を介して検電基板２１に設けられている電圧検出部２４に伝達されて検出される。所定電圧（例えば、ＤＣ６０Ｖ）以上の場合は、電源である電池１６の電圧を振動モータ１８に印加して作動させる。それにより発生した振動をキャップ１３に伝達して活線検知ドライバー１の使用者に報知する。
【００３０】
なお、振動モータ１８については、代わりに電磁振動器や超音波振動器を用いて作動させ、それにより活線検知ドライバー１の使用者に振動を報知するようにしてもよい。
【００３１】
活線検知ドライバー１の組立は、内部ユニット１７と振動モータ１８とをドライバー部２の内蔵部１１に装着され、その状態でキャップ１３のおねじ１２を、内蔵部１１のめねじ９に締結することにより電気的に接続されると共に、機械的にも固定され、かつ、振動モータ１８がキャップ１３の内壁に密接して振動モータ１８の振動がキャップ１３に直接的に伝達される構造になる。
【００３２】
これらの構成により、構造的にドライバーと検電器とを、分離することができるので、例えば、ドライバー部２のドライバービット４が磨耗した際や、ドライバー部２の種類を変更（プラス又はマイナス）する際には、検電器部３を別のドライバー部２に装着して組み合わせることで、新たな、活線検知ドライバー１として用いることができる。
【００３３】
また、活線検知ドライバー１は、内部ユニット１７の電圧検出の端子２１ａ、２１ｂとドライバービット４との間にコイルばね２３を介して接触させるようにしたので、確実な電気的接触が得られる。
【００３４】
また、振動モータ１８が使用者の掌が接触しているラバーグリップ７に密接しているので、使用者に掌を解して触覚により振励を確実に伝えることができ、電圧の印加を報知することができる。
【００３５】
次に、上述の活線検知ドライバー１の変形例について説明する。
【００３６】
図５は、活線検知ドライバー１ａの変形例の断面図である。上述の活線検知ドライバー１は、使用者への報知を振動によりおこなっていたが、この変形例の活線検知ドライバー１ａでは、使用者への報知を光によりおこなっている。なお、図１乃至図４と同一機能個所には同一名称と同一符号を付して、その個々の説明を省略する。
【００３７】
この活線検知ドライバー１ａも電工タイプのドライバー（ねじ回し）部と、このドライバー部２の内部に装着自在に内挿される検電器部３とで構成されている。
【００３８】
ドライバー部２は、基本構造は上述のドライバー部２と同様であるが、外部絶縁被覆５ａとラバーグリップ７ａの少なくとも一部が透光性部材で形成されている。
【００３９】
検電器部３は、電池ケースを兼ねる内部ユニット１７を備えており、この内部ユニット１７が、ドライバー部２の内部に装着され、その状態でキャップ１３のおねじ１２を、内蔵部１１のめねじ９に締結することにより電気的に接続されると共に、機械的にも固定される。
【００４０】
内部ユニット１７は、単５型電池を収納する電池ケース部１９と、この電池ケース部１９の外側には検電基板２１が設けられ、この検電基板２１には発光素子（ＬＥＤ）２５が実装されている。また、電池ケースの＋極側と−極側にはそれぞれ端子２１ａ、２１ｂ、２１ｃが設けられている。
【００４１】
＋極側端子２１ａ、２１ｂは、検電基板２１とコイルばね２３を介して検知子であるドライバービット４の後端部４ｂに電気的に接続されていると共に、検電基板２１にも電機的に接続されている。一方、−極側端子２１ｃは、キャップ１３と電気的に接続されている。
【００４２】
すなわち、ドライバービット４の検知子が検知した電圧は、検電基板２１に設けられている電圧検出部２４により検出され、所定電圧（例えば、ＤＣ６０Ｖ）以上の場合は、電源電池１６の電圧をＬＥＤ２５に印加して発光させる。この発光は、ドライバー部２の外部絶縁被覆５とラバーグリップ７のＬＥＤ２５に対応する位置が透光性部材で形成されているので、それらの透光性部が輝き使用者へ電圧を検知したことを報知することができる。
【００４３】
また、この変形例の場合も、構造的にドライバーと検電器とを、分離することができるので、例えば、ドライバーのドライバービット４が磨耗した際や、ドライバーの種類を変更（プラス又はマイナス）する際には、検電器を別のドライバーに装着することで、新たな、活線検知ドライバー１として用いることができる。
【００４４】
また、活線検知ドライバー１は、内部ユニット１７の電圧検出の端子２１ａ、２１ｂとドライバービット４との間にコイルばね２３を介して接触させるようにしたので、確実な電気的接触が得られる。
【００４５】
以上に説明したように、上述の各実施の形態による活線検知ドライバーは、ドライバー（ねじ回し）部と、このドライバー部の内部に装着自在に内挿される検電器部とで構成したので、ドライバーと検電器部とを、分離することができ、ドライバーのドライバービットが磨耗した際や、ドライバーの種類を変更（プラス又はマイナス）する際には、検電器を別のドライバーに装着することで、新たな、活線検知ドライバーとして用いることができる。それにより、ドライバー部と検電器部とのそれぞれの汎用性を高めることができる。
【００４６】
また、ドライバー部は、ドライバービットとラバーグリップが一体構造であるので、ドライバーとして使用した際に、締結対象に対して十分の締め付けトルクを加えることができる。
【００４７】
また、内部ユニットに検電基板を実装することで、ドライバー部に装着される容積の縮小が可能になり、全体を操作しやすい小型化が可能になった。
【００４８】
また、検知子であるドライバービットと、内部ユニットとは、コイルばね等の弾性体を介して弾性的に接続されているので、検知子での検知信号を確実に内部ユニットの検電基板等へ伝達することが出来、それにより、使用者へ確実に電圧の測定結果を報知することができる。それにより、電気配線をおこなう際の安全品質車故を予防することができる。
【００４９】
【発明の効果】
本発明によれば、様々な環境でも作業性がすぐれ、かつ、正確に機能すると共に保守性の優れた活線検知ドライバーを提供することができる。
【図面の簡単な説明】
【図１】本発明の活線検知ドライバーの断面図。
【図２】本発明の活線検知ドライバーの掌への接触個所の変形例の説明図。
【図３】本発明の活線検知ドライバーの検電器部の分解斜視図。
【図４】本発明の活線検知ドライバーの電気的な接続図。
【図５】本発明の活線検知ドライバーの変形例の断面図。
【符号の説明】
１、１ａ…活線検知ドライバー、２…ドライバー部、３…検電器部、４…ドライバービット、５…外部絶縁被覆、６…把持部、７…ラバーグリップ、１１…内蔵部、１３…キャップ、１７…内部ユニット、１８…振動モータ、２１…検電基板、２３…コイルばね、２４…電圧検出部、２５…発光素子
【図１】
2005014136.tif 000003
【図２】
2005014136.tif 000004
【図３】
2005014136.tif 000005
【図４】
2005014136.tif 000006
【図５】
2005014136.tif 000007